(57)【要約】【課題】  簡単に収納することを可能にし、かつ収納のために用いるものを紛失し難くしたスリングを提供する。【解決手段】  スリング１００の本体の肩パッド４の上に収納ベルト１０が取り付けられている。収納ベルト１０は、使用者１の肩に当たる部位から下方にずれた部位、例えば胸側にずれた部位に取り付けられる。収納ベルト１０は、１個のボタンにより肩パッド４の上に、着脱自在かつ回転自在に取り付けられる。収納ベルト１０の一端には一対のＤカン（Ｄ型のリング）が取り付けられおり、他端付近と中途部分には面ファスナーが設けられている。収納時には、折り畳むなどしてまとめたスリング１００の本体を、収納ベルト１０で締め付け、その他端を一対のＤカンに挿通して固定する。使用時には、収納ベルト１０をスリング１００の本体に巻き付け、Ｄカンに挿通した上で、面ファスナーで止める。【選択図】  図１
2007330776.tif 000002
【特許請求の範囲】
【請求項１】
一方の肩にたすき掛けにして使用するスリングであって、
スリング本体と、
前記スリング本体に取り付けられ、折り畳まれた前記スリング本体を縛る収納ベルトとを備え、
前記収納ベルトは、前記スリングの使用時に前記肩に当たる部位から下方にずれた部位に取り付けられているスリング。
【請求項２】
前記スリング本体が肩パッドを有し、
前記収納ベルトは、前記スリング本体の長手方向に沿った前記肩パッドの端部に隣接する部位に取り付けられている請求項１記載のスリング。
【請求項３】
前記収納ベルトが着脱自在かつ回転自在の取り付け部材によって前記スリング本体に取り付けられている請求項１または２記載のスリング。
【請求項４】
前記収納ベルトが、前記スリング本体の幅方向の両端からそれぞれ外向きに延伸した第１および第２延伸部を有しており、
前記第１延伸部と前記第２延伸部とは、それぞれ前記スリング本体の裏側に折り曲げたときに互いに対向する部分を有しており、当該対向する部分に雌雄が互いに逆となる面ファスナーの組が設けられている請求項１ないし３の何れかに記載のスリング。
【請求項５】
前記対向する部分は、前記第１延伸部と前記第２延伸部のそれぞれの一部分であり、
折り曲げられた前記第１延伸部の前記スリング本体の裏側に対向する側のうち、前記一部分内に第１面ファスナーが設けられるとともに、前記第１面ファスナーよりも付け根側に第２面ファスナーが設けられており、
折り曲げられた前記第２延伸部の前記スリング本体の裏側に対向する側とは反対側のうち、前記一部分内に第３面ファスナーが設けられるとともに、前記スリング本体の裏側に対向する側であって前記第３面ファスナーよりも付け根側に第４面ファスナーが設けられており、
折り曲げられた前記第１延伸部の前記第２面ファスナーに対向する前記スリング本体の裏側の部位に、第５面ファスナーが設けられており、
折り曲げられた前記第２延伸部の前記第４面ファスナーに対向する前記スリング本体の裏側の部位に、第６面ファスナーが設けられており、
前記第１および第２面ファスナーは雌雄が同一であり、
前記第３および第５面ファスナーは、前記第１および第２面ファスナーとは雌雄が逆であり、
前記第４および第６面ファスナーは、互いに雌雄が逆である請求項４記載のスリング。
【請求項６】
前記第１および第２面ファスナーが互いに連続している請求項５記載のスリング。
【請求項７】
前記対向する部分は、前記第１延伸部と前記第２延伸部のそれぞれの略全体にわたっており、
前記面ファスナーの組のそれぞれは、前記対向する部分の略全体にわたって設けられている請求項４記載のスリング。
【請求項８】
前記対向する部分は、前記第１延伸部と前記第２延伸部のそれぞれの略全体にわたっており、
雌雄が互いに逆の前記面ファスナーの組は、前記第１延伸部の先端部付近と前記第２延伸部の付け根付近とが対向する部分と、前記第２延伸部の先端部付近と前記第１延伸部の付け根付近とが対向する部分と、に設けられている請求項４記載のスリング。
【請求項９】
前記収納ベルトの一端に、当該収納ベルトが挿通可能な一対のリングが取り付けられている請求項１ないし３の何れかに記載のスリング。
【請求項１０】
前記収納ベルトは、前記スリング本体の幅方向の一端から外向きに延伸する延伸部を有しており、かつ前記収納ベルトは、前記スリング本体を一周を超えて巻き付け得る長さを有しており、前記収納ベルトを前記スリング本体に一周を超えて巻き付けたときに、互いに対向する前記延伸部の先端部付近とその下層にある前記収納ベルトの部分とに、雌雄が互いに逆となる面ファスナーの組が設けられている請求項１ないし３および９の何れかに記載のスリング。
【発明の詳細な説明】
【技術分野】
【０００１】
この発明は育児に用いられ、乳幼児を抱っこ、またはおんぶするためのスリングと呼ばれる好ましくは布製の子守帯の構造に関する。
【背景技術】
【０００２】
主として、子供を抱っこしたりおんぶしたりするための補助具として子守帯（「おんぶひも」とか「だっこひも」「ベビーキャリアー」等と総称することがある）がある。この子守帯には様々な種類があり形態で見ると、子供をバッグの中に収めるバック式（「リュックサック式」とか「カンガルー式」等と称されることもある）のものと、主として、ベルト状のもので子供の身体を使用者の身体に縛り付ける形態の縛り式（「オープン式」と称されることもあり単に、「おんぶひも」とか「だっこひも」「だっこバンド」等と称されることもある）のものと、１枚の布をハンモック状の子守帯にしたスリング（布製子守帯で主に「リングあり」と「リングなし」の２種類に分けられる）に大別できる。「リングなし」の中には「抱っこ襷タイプ」と「チューブタイプ」の２種類に分けることが出来、共に形は違うが1枚の布を輪にしているもので長さの調節が出来ないという部分では同じである。「リングあり」というのは１枚の布を２本のリングに通して輪にするものでテールを引く事で長さ調節が可能である。テールとは２本のリングに通した際に出る布の垂れている部分をいう。
【０００３】
バッグ式の子守帯は子供の胴体部分を収めるバッグと、このバッグを肩で吊るためのショルダーベルトや腰に固定するためのウエストベルト等から構成されていて、通常はウエストベルト等の留め具がバックル留めになっている。また、通常の縛り式子守帯は、子供の背中にあてがう背当てシートとその子供の脚の付け根辺りを通す脚通し部と背当てシートから左右に延びて使用者の身体にその肩越しに巻きつける縛りベルト等から構成されている。
【０００４】
一方、スリングは面倒なバックル留めや縛りベルト等がなく、使用者がスリングを肩からたすき掛けにし、ポーチに子供を入れるだけで簡単に装着できる。ポーチとは子供を入れる部分で布の一番幅広になっている袋状の部分のことをいう。
【０００５】
バッグ式や縛り式の子守帯は親の肩部にあたる紐やベルトが比較的、幅狭なため、長時間使用するとベルトが親の肩へ食い込み、肩こりや頭痛を起しやすい傾向にある。またバックル等でいかにも子供が入れ込められている状態は、子供にとっても長時間は辛いもので、中には初めから装着を嫌がる子供もいる。やむなく親が嫌がる子供にバッグ式や縛り式の子守帯を使って抱っこする場合もバックル留め等が愚図りにより大変になる。
【０００６】
バッグ式や縛り式の子守帯に対し、スリングは１枚布で出来ており、面倒なバックル留めもない。新生児の場合の横抱き（「ゆりかご抱き」とも言われる）に関しては母親のお腹の中に入るような抱っこ（「第二の子宮」と呼ばれる）になるので、子供も安心できる。また、肩幅の布が広いので、その分、重さが分散されて親も肩凝りや頭痛に悩まされることが少ない。しかも子供の頭（大きくなれば脇や肩部分）や脚にあたるレール部と親の肩にあたる部分にはあたりがいいようにクッション材を入れており、より快適さを追求している。なお、携帯性やコンパクト性を重視したスリングにおいては子供の頭や脚にあたるレール部分や親の肩にあたる部分にはクッション材である綿の入っていないものもある。レール部とはポーチ部の両端部のことをいう。
【０００７】
スリングで抱っこしていれば、授乳するときもわざわざスリングから下ろす事もなくスリングで授乳し易いように抱っこした状態で授乳出来、スリング自体が授乳の目隠しにもなる。また寝てしまっても、そのまま使用者が子供をスリングに入れたまま下ろし、スリングから使用者が頭を抜くことで子供を起こすことなく、またスリングがタオルケット代わりになるといった多くの利点がある。
【発明の開示】
【発明が解決しようとする課題】
【０００８】
このような多くの利点の多いスリングだが、主に外出時、スリングを使用しない時にバッグに入れて持ち運ぶことを考えた場合、スリングをまとめて収納できるアイテムやスリングを収納できる袋がないとバッグの中に入れた時に中がグチャグチャになってしまうし、単独での持ち運びにもかさばる。
【０００９】
そこで、巾着袋や紐・ベルトなどで留めれば邪魔にならずコンパクトに収納可能だが、スリングと収納するものが別々の存在になっていると必要な際に収納できる目的となるもの自体がどこにあるのかわからなくなってしまったり、紛失してしまう場合もある。
【００１０】
スリングにポケットが付いており、そのポケットをひっくり返すことで収納可能なスリングもあるが、ある程度きちんとポケットの大きさに合わせて畳んでから収納しないと上手く収納できない。子供の機嫌が悪いときや急いでいるときにそのような時間も取りにくいので、結局ポケットには収納せず、そのままバッグの中へ入れてしまい結果、かさばる。
【００１１】
本発明は上記した従来の問題点を解決するためのものであり、簡単に収納することを可能にし、かつ収納のために用いるものを紛失し難くしたスリングを提供することを目的とする。
【課題を解決するための手段】
【００１２】
この目的を達成するために、本発明のうち第１の態様に係るものは、一方の肩にたすき掛けにして使用するスリングであって、スリング本体と、前記スリング本体に取り付けられ、折り畳まれた前記スリング本体を縛る収納ベルトとを備え、前記収納ベルトは、前記スリングの使用時に前記肩に当たる部位から下方にずれた部位に取り付けられている。
【００１３】
この構成によれば、収納ベルトがスリング本体に取り付けられているので、折り畳むなどしたスリング本体を、収納ベルトで縛ることにより簡単に収納することができる。また、収納ベルトは、スリング本体に取り付けられているので、紛失することも起こり難い。さらに、スリングを使用するときに、使用者の肩に当たる部位から下方にずれた部位に収納ベルトが位置することとなるので、収納ベルトをスリングの裏側に収納した場合であっても、使用者の身体への圧迫感や違和感が減殺される。
【００１４】
本発明のうち第２の態様に係るものは、第１の態様に係るスリングにおいて、前記スリング本体が肩パッドを有し、前記収納ベルトは、前記スリング本体の長手方向に沿った前記肩パッドの端部に隣接する部位に取り付けられている。
【００１５】
この構成によれば、収納ベルトが、スリング本体の長手方向に沿った肩パッドの端部に隣接する部位に取り付けられているので、収納ベルトをスリング本体の裏側に折り曲げたときに、折り曲げられることにより厚みが増すスリングの部分が、厚みのある肩パッドと並ぶこととなる。そのため、収納ベルトの存在による使用者の身体への圧迫感や違和感が、さらに効果的に減殺される。
【００１６】
本発明のうち第３の態様に係るものは、第１または第２の態様に係るスリングにおいて、前記収納ベルトが着脱自在かつ回転自在の取り付け部材によって前記スリング本体に取り付けられている。
【００１７】
この構成によれば、収納ベルトが着脱自在かつ回転自在の取り付け部材によってスリング本体に取り付けられているので、収納ベルトをスリング本体から取り外しておくことができ、状況に合わせての使い分けが可能となる。また、収納ベルトを取り外すことなくその方向を変えることにより、折り畳まれたスリング本体を、長手方向、幅方向の何れの方向にも縛って収納することが可能となる。
【００１８】
本発明のうち第４の態様に係るものは、第１ないし第３の何れかの態様に係るスリングにおいて、前記収納ベルトが、前記スリング本体の幅方向の両端からそれぞれ外向きに延伸した第１および第２延伸部を有しており、前記第１延伸部と前記第２延伸部とは、それぞれ前記スリング本体の裏側に折り曲げたときに互いに対向する部分を有しており、当該対向する部分に雌雄が互いに逆となる面ファスナーの組が設けられている。
【００１９】
この構成によれば、第１および第２延伸部をスリング本体の裏側に折り曲げ、互いに対向する部分に設けられている面ファスナーの組を互いに付着させることができる。それにより、スリングを使用するときなどに、第１および第２延伸部をスリング本体の裏側で互いにつなぎ合わせることができる。すなわち、第１および第２延伸部をスリング本体の裏側に収納しかつ保持することができる。それにより、スリングを使用するときに、第１および第２延伸部を表側からは隠しつつ、邪魔にならないように保持することができる。スリング本体を収納するときには、折り畳むなどしたスリング本体を第１および第２延伸部で締め付け、面ファスナーの組を互いに付着させることにより、スリング本体を縛って収納することができる。第１および第２延伸部をスリング本体の裏側に収納したり、その収納状態を解いたり、あるいは、スリング本体を収納したり、その収納状態を解いたりする作業を、面ファスナーの付着および脱着という簡単で素早い操作で行うことができる。
【００２０】
本発明のうち第５の態様に係るものは、第４の態様に係るスリングにおいて、前記対向する部分は、前記第１延伸部と前記第２延伸部のそれぞれの一部分であり、折り曲げられた前記第１延伸部の前記スリング本体の裏側に対向する側のうち、前記一部分内に第１面ファスナーが設けられるとともに、前記第１面ファスナーよりも付け根側に第２面ファスナーが設けられている。そして、折り曲げられた前記第２延伸部の前記スリング本体の裏側に対向する側とは反対側のうち、前記一部分内に第３面ファスナーが設けられるとともに、前記スリング本体の裏側に対向する側であって前記第３面ファスナーよりも付け根側に第４面ファスナーが設けられている。また、折り曲げられた前記第１延伸部の前記第２面ファスナーに対向する前記スリング本体の裏側の部位に、第５面ファスナーが設けられている。さらに、折り曲げられた前記第２延伸部の前記第４面ファスナーに対向する前記スリング本体の裏側の部位に、第６面ファスナーが設けられている。また、前記第１および第２面ファスナーは雌雄が同一であり、前記第３および第５面ファスナーは、前記第１および第２面ファスナーとは雌雄が逆であり、前記第４および第６面ファスナーは、互いに雌雄が逆である。
【００２１】
この構成によれば、第１および第２延伸部をスリング本体の裏側に折り曲げた状態で、第１および第３面ファスナーを付着させることができる。すなわち、スリングを使用するときなどに、第１および第２延伸部をスリング本体の裏側で互いにつなぎ合わせることができ、それにより、スリング本体の裏側に収納し保持することができる。さらに、第２および第５面ファスナーを互いに付着させ、第４および第６面ファスナーを互いに付着させることができる。それにより、第１および第２延伸部をスリング本体の裏側に固定することができ、当該裏側からの浮き上がりや位置ずれを防止することができる。さらに、第１および第３の面ファスナーの組と、第２および第５面ファスナーの組と、第４および第６面ファスナーの組とが、互いに重なり合うことなく横に並ぶ。このため、第１および第２延伸部が折り重ねられたことによるスリングの厚みの増加を抑えることができる。そのため、収納ベルトの存在による使用者の身体への圧迫感や違和感を抑えつつ、スリング本体の裏側に収納された第１および第２延伸部の浮き上がりや位置ずれを防止することができる。
【００２２】
スリング本体を収納するときには、折り畳むなどしたスリング本体を第１および第２延伸部で締め付け、第１および第３面ファスナーを互いに付着させることにより、スリング本体を縛って収納することができる。第１面ファスナーに代えて第２面ファスナーと第３面ファスナーとを付着させることもでき、それにより、折り畳むなどしたスリング本体を、より小さく縛ることができる。このように付着すべき面ファスナーを選択することにより、収納できる大きさの幅が広がるので、スリング本体の畳み方や、まとめ方について選択の幅が広がる。このことは、収納作業の効率の向上にも寄与する。
【００２３】
本発明のうち第６の態様に係るものは、第５の態様に係るスリングにおいて、前記第１および第２面ファスナーが互いに連続している。
【００２４】
この構成によれば、第１および第２面ファスナーが互いに連続しているので、第３面ファスナーを付着すべき相手を、第１面ファスナーから第２面ファスナーまで、連続的に選択することができる。それにより、折り畳むなどしたスリング本体を縛るときの大きさを、連続的に調節することができる。その結果、スリング本体の畳み方や、まとめ方について選択の幅がさらに広がるので、収納作業の能率がさらに向上する。
【００２５】
本発明のうち第７の態様に係るものは、第４の態様に係るスリングにおいて、前記対向する部分は、前記第１延伸部と前記第２延伸部のそれぞれの略全体にわたっており、前記面ファスナーの組のそれぞれは、前記対向する部分の略全体にわたって設けられている。
【００２６】
この構成によれば、第１延伸部と第２延伸部とをスリング本体の裏側に折り曲げたときの互いに対向する部分が、第１延伸部と第２延伸部のそれぞれの略全体にわたっており、面ファスナーの組のそれぞれが、対向する部分の略全体にわたって設けられているので、面ファスナーの組を付着させる部位を、幅広くかつ連続的に選択することができる。このため、折り畳むなどしたスリング本体を縛るときの大きさを、幅広くかつ連続的に調節することができる。それにより、スリング本体の畳み方や、まとめ方について選択の幅がさらに広がるので、収納作業の能率がさらに向上する。
【００２７】
本発明のうち第８の態様に係るものは、第４の態様に係るスリングにおいて、前記対向する部分は、前記第１延伸部と前記第２延伸部のそれぞれの略全体にわたっており、雌雄が互いに逆の前記面ファスナーの組は、前記第１延伸部の先端部付近と前記第２延伸部の付け根付近とが対向する部分と、前記第２延伸部の先端部付近と前記第１延伸部の付け根付近とが対向する部分と、に設けられている。
【００２８】
この構成によれば、第１および第２延伸部をスリング本体の裏側に折り曲げた状態で、互いに対向する第１延伸部の先端部付近と第２延伸部の付け根付近とを面ファスナーの組により付着させることができ、互いに対向する第２延伸部の先端部付近と第１延伸部の付け根付近とを面ファスナーの組により付着させることができる。すなわち、スリングを使用するときなどに、第１および第２延伸部をスリング本体の裏側で互いにつなぎ合わせることができ、それにより、スリング本体の裏側に収納し保持することができる。一方、スリング本体を収納するときには、折り畳むなどしたスリング本体を第１および第２延伸部で締め付け、第１延伸部の先端付近と第２延伸部の先端付近とに設けられた面ファスナーの組を互いに付着させることにより、スリング本体を縛って収納することができる。また、スリング本体を縛って収納する場合においても、第１および第２延伸部をスリング本体の裏側に収納するときと同様に、互いに対向する第１延伸部の先端部付近と第２延伸部の付け根付近とを面ファスナーの組により付着させ、互いに対向する第２延伸部の先端部付近と第１延伸部の付け根付近とを面ファスナーの組により付着させることもでき、それにより、折り畳むなどしたスリング本体を、より小さく縛ることができる。このように付着すべき面ファスナーを選択することにより、収納できる大きさの幅が広がるので、スリング本体の畳み方や、まとめ方について選択の幅が広がる。このことは、収納作業の効率の向上にも寄与する。
【００２９】
本発明のうち第９の態様に係るものは、第１ないし第３の何れかの態様に係るスリングにおいて、前記収納ベルトの一端に、当該収納ベルトが挿通可能な一対のリングが取り付けられている。
【００３０】
この構成によれば、収納ベルトの一端に、収納ベルトが挿通可能な一対のリングが取り付けられているので、スリング本体を収納するときに、折り畳むなどしたスリング本体を収納ベルトで締め付け、収納ベルトの他端を一対のリングの双方に挿通し、さらに折り返してそれらの間から戻すようにして引っ張ることにより、収納ベルトをつなぎ合わせ、かつスリング本体を縛って収納することができる。収納ベルトをつなぎ合わせる位置を連続的に調節できるので、折り畳むなどしたスリング本体を縛るときの大きさを、幅広くかつ連続的に調節することができる。それにより、スリング本体の畳み方や、まとめ方について選択の幅が広がるので、収納作業の能率が向上する。
【００３１】
本発明のうち第１０の態様に係るものは、第１ないし第３および第９の何れかの態様に係るスリングにおいて、前記収納ベルトは、前記スリング本体の幅方向の一端から外向きに延伸する延伸部を有しており、かつ前記収納ベルトは、前記スリング本体を一周を超えて巻き付け得る長さを有しており、前記収納ベルトを前記スリング本体に一周を超えて巻き付けたときに、互いに対向する前記延伸部の先端部付近とその下層にある前記収納ベルトの部分とに、雌雄が互いに逆となる面ファスナーの組が設けられている。
【００３２】
この構成によれば、収納ベルトをスリング本体に巻き付けて、その先端部付近を下層にあるスリング本体に面ファスナーの組により固定することができる。スリングを使用するときなどに、そうすることによって、収納ベルトを邪魔にならないように保持することができる。
【００３３】
本発明のさらに別の態様について説明する。本発明のさらに別の態様では、使用者がスリングをたすき掛けにした際の肩パッド部真ん中より手前側、すなわち使用者の身体前面に当たる部分の左右対称になる位置、すなわち肩幅の左右中心にあたる部分にボタンを取り付ける。そこに収納可能な２個のDカン付のベルトのベルトにはボタンホールや紐を輪にするなどしてボタンを取り付けられるようにすることで、収納ベルトをスリング（より正確にはスリング本体）に取り付けられるようにし、スリングと収納ベルトの一体化、そして状況に応じて使い分けが出来る脱着可能な収納ベルト一体型スリングにした。
【００３４】
スリング収納時は収納ベルトが上になるようにポーチ部を肩幅の幅に合わせ、折りたたむ、あるいは巻く。この肩幅に合わせ、まとめるのはおおまかで構わない。その際、収納ベルトが表面積の縦半分の中心にくるようにし、くるりと肩幅と平行にベルトでスリングを包みDカンを通して留める。この留め方は通常のベルト留めの方法で、２個のDカンに通しその後、手前を一つとばして次のDカンに通すことで留めることが出来る。または、収納ベルトが上になるように折りたたむ、あるいはポーチ部より巻き込むようにするまでは先に述べた方法と同じだが、収納ベルトをボタンを軸に肩幅に対して垂直になるように９０度回転させ、縦方向に収納することも、収納ベルトが自由自在に方向が変えられるため可能である。
【００３５】
スリング使用のときは収納ベルトが邪魔にならないように、垂れているベルト部分がまず、スリングの肩部の裏側から表側を通るように一周させ、２個のDカンに通し、そのまま裏側で留めるようにする。
【００３６】
裏側で留める固定方法は、Dカン付ベルトのDカンとは反対のベルト先端部分とこの収納ベルトをスリング使用時に邪魔にならないようにするために肩部分を一周させた際、ベルト先端に相対する部分にマジックテープ（登録商標；面ファスナー一般を使用可能）で固定できるようにしておく。このようにすることで、スリング使用時にベルト先端が垂れてくることを防ぎ、すっきりと見える。
【００３７】
このスリングの収納ベルトの構造は左右どちらの肩に使用者が装着しても使用上は問題ない。
【００３８】
このように収納ベルトをスリングに取り付け出来るようにすることにより、従来のようにスリングを収納するものを紛失するということを軽減させ、ベルトで簡単に収納も出来、持ち運びにもすっきりと納まる。また、Dカンをベビーカーなどのフックに引っ掛けたり、ベルト自体を持ち手代わりにして持ち運ぶことも可能である。
【００３９】
そして、スリングと収納ベルトをボタンで留めるようにしておくことで、収納ベルトが３６０度、自由自在に方向を変えることが可能となり、横方向・縦方向のどちらからでも収納が可能となり、スリングから収納ベルトを取り外ししなくても使用者のやり易い方法で横方向・縦方向の収納を実現できる。そして、収納ベルトをスリングから簡単に取り外しておくことも出来、状況に合わせての使い分けが可能となる。
【００４０】
また、スリング使用時はベルトが肩部分を一周させるようにしているため、ベルト部分には軽めのおしゃぶりなどのクリップ留めのものを取り付けることも出来るし、Dカンにはナスカン付きの物などを掛けることも可能になる。
【発明の効果】
【００４１】
この発明のスリングによれば、スリングを収納する手段となるものを紛失する恐れが軽減され、簡単に収納することが可能となり、またコンパクトに収納できるので持ち運びにも便利である。また、スリングを使用する場合に、スリングを収納する手段となるものによる使用者の身体への圧迫感や違和感が減殺される。
【００４２】
また好ましい態様においては、スリングと収納ベルトをボタンで留めるようにしておくことで、収納ベルトが３６０度、自由自在に方向を変えることが可能となり、横方向・縦方向のどちらからでも収納が可能となり、スリングから収納ベルトを取り外ししなくても使用者のやり易い方法での収納を実現できる。そして、収納ベルトをスリングから簡単に取り外しておくことも出来、状況に合わせての使い分けが可能となる。また、スリング使用時にはベルト部分におしゃぶりなどのクリップ留めのものを取り付けることも出来るし、Dカンにはナスカン付の物などを掛けることも可能になる。
【発明を実施するための最良の形態】
【００４３】
まず、この発明の一実施の形態によるスリング１００について図１から図１１を参照しながら説明する。尚、図１は親使用者1が本実施の形態におけるスリング１００を装着して子供2を抱っこしている状態を示す全体図であり、図２はスリング１００を二つ折りにして収納ベルトがスリングを使用するときに肩部を一周させた状態を正面から見た図でひっくり返してみてもスリングの形状は対照になっている。図３はスリング１００の肩パッド部に取り付けた収納ベルトのベルトを横に伸ばした状態を上から見た図で、図５は本実施の形態におけるスリング（より正確にはスリング本体）に取り付けた収納ベルトをスリング使用時のように肩部を一周させた裏側部分の図、図６はDカンを付けた収納ベルトの部分を示す拡大図、図７はスリングを図３におけるスリングの状態でスリングをまとめて収納したときの図、図８は図３におけるスリングの状態で収納ベルトを９０度回転させて、すなわちスリングを縦方向に収納した時の図である。図９は収納ベルトをマジックテープ（登録商標；一般には面ファスナー）留めとした際のベルトをのばした状態を上から見た図で、図１０はマジックテープ留めの収納ベルトをスリング使用時に肩部を一周させた際に裏側部分から見た図である。
【００４４】
まず、本実施の形態におけるスリング１００の構成はスリング１００に適している布で形成されており、使用者１の肩部において、スリング１００の肩パッド４がくるようにたすき掛けするように装着される。子供２は布幅の一番広いポーチ部５に入れて抱っこされ、ポーチ部５の両端はレール８と呼ばれるが、そのレール８の子供の背中（生まれて数ヶ月までなら頭部分・ある程度大きい月齢になれば脇や肩部分）や脚にあたる部分にはクッション材３、例えば綿などを入れ、長時間の抱っこでも子供２に布が食い込んで痛いということも防ぐことが出来、快適に過ごすことが出来るようにした。
【００４５】
使用者がスリング１００をたすき掛けにした際の肩パッド４の真ん中より手前側、すなわち使用者１の身体前面に当たる部分の左右対称になる位置、すなわち肩幅の中央にあたる部分に収納ベルト１０が取り付けられるようにボタン１１を取り付ける。ボタン１１は約１８cm〜２１cmほどの直径サイズのものがスリングとのバランスが最も良く取れる。収納ベルト１０は、Dカン６のサイズに合った幅でスリングを収納可能な長さになるよう、ミシンなどで縫うなどしてDカン６を通して固定させる。そして、スリングに取り付けられるよう、ボタンホール１２を設ける。（図６）Dカン６とは主に、プラスチック製で軽いものが望ましい。ステンレス製のものでも問題はないが、子供を抱っこするだけでも重いため、各部品には重さを軽減させる軽めの部品を使用したほうがスリング全体の重さを少しでも緩和できる。ボタン取り付けのボタンホール１２の位置はスリングに取り付けた時にDカン６が肩パッド４の表側に位置するように取り付ける。図ではたすき掛けにした際、肩幅右寄りにDカンがくるように取り付けられている。収納ベルト１０の生地は生地の厚さにもよるが、何重かにしてほどよい厚みにする。あまり厚みがなさすぎるとベルトの生地がよれて機能的に使いづらい。また、Dカン６は大きすぎても小さすぎてもスリングとのバランスに欠けるので、Dカン６の6aは内径約2〜3ｃｍ前後  6ｂは最大部分の内径約1.5〜2.5ｃｍ前後であるものが使い易い。
【００４６】
スリング使用時は図３の右に出ている収納ベルト１０をまず後ろから表に一周させDカン６を通しそのまま後側でマジックテープ９で留める。（図5）なお、図３において、収納ベルト１０のうち、スリング本体の右端から右方向に延びている部分が、本発明の延伸部の一例に該当する。このようにすることでスリング使用中に収納ベルト１０の先端が垂れることがなく、またすっきりと見える。
【００４７】
上記構造からなるスリング１００の使用状態においては図１に示すように使用者１の肩部にスリングの肩パッド４がくるように、たすき掛けに装着される。そしてスリング使用時は収納ベルト１０が邪魔にならないように、垂れているベルト部分がまず、スリングの肩パッド４の裏側から表側を通るように一周させ、２個のDカン６に通し、そのまま裏側でマジックテープ９で留めるようにすることですっきりと納まる。収納時はスリングを適当に巻いたり、畳みむことで収納ベルトで簡単に留めることも出来、すっきりと納まる。そして、スリングと収納ベルト１０をボタン１１で留めるようにしておくことで、収納ベルト１０が３６０度  自由自在に方向を変えることが可能となり、横方向、縦方向のどちらでも収納が可能となり、使用者１の使い易い方法での収納を実現できる。そして、収納ベルトをスリングから簡単に取り外しておくことも可能となり、状況に合わせての使い分けが可能となる。また、スリング収納時にはDカン６をベビーカーなどのフックに引っ掛けたり、ベルト自体を持ち手代わりにして持ち運ぶことも可能である。
【００４８】
「実施形態の効果」
以上、本実施の形態におけるスリングによればスリングと収納ベルトがボタン留めで一体化することで収納するものを紛失することを軽減させ、適当にまとめるだけで簡単に収納、持ち運びが可能となる。また、スリング装着時も邪魔にならず、収納ベルト１０が付いていることで使用者や子供に装着時、不快感を与えることもない。そして、収納ベルトをスリングから簡単に取り外しておくことも可能となり、状況に合わせての使い分けが可能となる。
【００４９】
尚、この明細書で言う「子供」とはスリングを使用して抱っこ等をされる者の総称であり、「使用者」とはスリングを使用して抱っこ等をする者の総称である。
【００５０】
「他の実施形態」
以上、本発明は一つの実施の形態について説明したが、本発明の具体的な構成はこの実施の形態に限られるものではなく、次のような別の形態を含めて、本発明の要旨を逸脱しない範囲における設計の変更などがあっても本発明に含まれる。
【００５１】
図面に示した実施の形態においてはDカン付きの収納ベルト一体型スリングであるが、Dカンの代用として丸カンや角カンなど、ベルト留めが出来る部品であれば代用可能であり、Dカンと同じ充分な効果がある。
【００５２】
図面に示した実施の形態においては、収納ベルトをスリングの肩部に取り付ける際、Dカンの位置は使用者がたすき掛けにした際、肩幅の右側寄りになるように取り付けているが、肩パッド部の表側の左右どちら寄りにDカンが位置していても使用上問題はなく、収納には変わらぬ効果がある。
【００５３】
図面に示した実施の形態においては、スリングにボタンを取り付け収納ベルトにボタンホールを設けることで取り付けているが、ボタンホールの代わりにボタンを留めれる紐を設けてもよいし、（図１１）また、ボタンの代わりにスナップボタンやマジックテープでも変わらぬ効果がある。
【００５４】
図面に示した実施の形態においては、スリングにボタンを取り付け収納ベルトにボタンホールを設けることで取り付けられるようにしているが、逆の発想で収納ベルトにボタンを取り付け、スリングにはボタンホールを設けた生地やまた、紐を輪にするなどしてボタンを取り付けられるようにしても収納にはかわらぬ効果がある。
【００５５】
図面に示した実施の形態においては、使用時に収納ベルトを肩パッドの裏側で留める固定方法は、ベルト先端に相対するベルト部分にマジックテープでの固定にしているが、スナップボタンやボタン留め、またはベルト先端を肩パッドに巻きつけているベルトに挟むようにしても変わらぬ効果がある。
【００５６】
図面に示した実施の形態においては、肩パッド前寄り左右対称の中央位置にボタンを取り付けているが、スリングのどの部分に取り付けるようにしても、収納には変わらぬ効果がある。ただし、使用時の収納ベルトの収納を考えると先に示した肩パッド前寄りの左右対称位置となる中心部に取り付けることが縦方向にも違和感なく収納が可能である。
【００５７】
また、図面に示した実施の形態においてはポーチの両側のレール部や肩部分にクッション材を設けたスリングであるが、スリングの布の厚さやコンパクト性を重視するスリングによってはクッション材を入れていなくてもよく、それでも尚、収納には変わらぬ効果がある。
【００５８】
図面に示した実施の形態においては、脱着可能な収納ベルトだが、スリングと収納ベルトをボタンなどで取り外しするのではなく、収納ベルトをスリングに完全に縫い付け、肩パットの裏側でマジックテープで留めるなどし、収納ベルトをスリングから外せないようにしても収納には変わらぬ効果がある。その場合、収納ベルトはDカン付でも、Dカン無しのベルトでも変わらぬ効果がある。しかし、脱着出来たほうが使用情況に応じて臨機応変に使い分けができる。
【００５９】
図面の示した実施の形態においては使用時の収納ベルト先端はスリングの肩部の裏側で留まるようになっているが、収納ベルトの長さによっては表側で留めることになっても収納には変わらぬ効果がある。
【００６０】
図面の示した実施の形態においてはDカンにベルトを通し収納出来るようにしているが、マジックテープ留めでの収納（図9・図10）にしても収納効果に変わりはない。しかし、Dカン付の収納ベルトのほうが収納時、締め具合の調節が自由自在であるし、またDカンがスリングのワンポイントになりおしゃれ感がある。
【００６１】
図面の示した実施の形態においてはリングなしスリング・抱っこ襷タイプであるが、リングなしスリングのチューブタイプ、リングありスリングでも同様に取り付けることが可能である。
【００６２】
上記スリングにおいては、スリングにボタンで収納ベルトの取り付けることを可能にした一体型収納ベルト付きスリングのため、収納ベルトを紛失することを軽減でき、簡単に横方向でも縦方向でも使用者の使い易い方法でくるりと畳んですっきりと収納が出来る。そして、収納ベルトが必要でないときには、スリングから取り外しておくことも可能であり、状況に合わせての使い分けが可能となる。またスリング単独でもDカンをベビーカーなどのフックに引っ掛けたり、ベルトを持ち手にするなどして持ち運びが可能となる。
【００６３】
「さらに別のいくつかの実施形態」
図１２は、本発明のさらに別の実施の形態によるスリングの構成を示す図である。このスリングは、収納ベルト１０が、ボタン付けに代えて縫い付けにより、スリング本体２０に取り付けられている点において、図９に示したスリングとは異なっている。図１２（ａ）は、水平に置かれたスリングの収納ベルト付近の部分平面図である。また図１２（ｂ）は、図１２（ａ）の収納ベルトの長手方向中心線に沿って切断したスリングの断面図であり、特に収納ベルトをスリングの裏側（身体に面する側）に折り重ねた状態を示している。なお、以下の図において、図１〜図１１に示したものと同一要素ないし同一の機能を有する要素については、同一の符号を付して、その詳細な説明を略する。
【００６４】
図９等と同様に、スリングのうち肩パッド４を構成する領域では、スリング本体２０の布地が袋状となっており、その内部に、例えば平板状の綿などのクッション材２４が詰められている。クッション材２４が２枚に分かれているが、双方が詰め込まれた領域全体を１つの肩パッド４と称する。クッション材２４は、縫い合わせの糸７によって、スリング本体２０の布地に縫い付けられている。収納ベルト１０は、図９等と同様に、肩パッド４の上にあって、しかも、肩パッド４の真中より手前側、すなわち使用者１の身体前面に該当する部位に、スリング本体２０の幅方向に沿って延びるように、スリング本体２０に取り付けられている。収納ベルト１０は、縫い糸２６によりスリング本体２０に縫い付けられている。スリング本体２０の幅は、肩パッド４が配置される領域では、肩パッド４の幅と略同一である。すなわち、肩パッド４から幅方向にはみ出したスリング本体２０の部分は、肩パッド４の幅に比べて十分に狭く設定されている。
【００６５】
帯状の収納ベルト１０のうち、全体の約３分の１に該当する中央部がスリング本体２０に取り付けられる。それにより、収納ベルト１０は、スリング本体２０の幅方向の両端から、スリング本体２０の幅と略同一の長さで延伸する。また、収納ベルト１０は、スリング本体２０の表側（身体に面する側とは反対側）に縫い付けられている。それにより図１２（ｂ）に示すように、スリングを使用する際には、スリング本体２０の両端から延伸する収納ベルト１０の部分（「延伸部」と仮称する）を、スリング本体２０の裏側に重ねておくことができる。
【００６６】
収納ベルト１０に設けられた面ファスナー（例えば、マジックテープ（登録商標））９は、２本の延伸部を重ねて固定することを可能にする。２本の延伸部のうち一方には、付け根付近に面ファスナー９Ｃが設けられ、先端部付近に面ファスナー９Ａが設けられる。他方には、付け根付近に面ファスナー９Ｂが設けられ、先端部付近に面ファスナー９Ｄが設けられる。面ファスナー９Ａと９Ｃは雌雄が同一であり、面ファスナー９Ｂと９Ｄは、それとは雌雄が逆である。また、面ファスナー９Ａと９Ｃの組と、面ファスナー９Ｂと９Ｄの組とは、互いに収納ベルト１０の異なる面に取り付けられている。
【００６７】
以上の要領で、面ファスナー９Ａ〜９Ｄが収納ベルト１０に取り付けられているので、図１２（ｂ）に示すように、面ファスナー９Ａと９Ｂとを付着させ、面ファスナー９Ｃと９Ｄとを付着させることにより、収納ベルト１０の２本の延伸部を、スリング本体２０の裏側に重ね合わせ、かつ互いに結び付けることができる。それにより、例えばスリングを使用するときなど、収納ベルト１０を使用しないときに、収納ベルト１０の延伸部をスリング本体２０の裏側に収納することができる。延伸部が表側から見えなくなるので、スリングを使用したときのファッション性が損なわれない。また、収納ベルト１０がスリング本体２０の表側に幅方向に横断するように取り付けられるので、それが一種のファッションとしても機能し得る。
【００６８】
一方、スリングを使用しないときに、スリング本体２０を折り畳んで収納するときには、折り畳まれたスリング本体２０を収納ベルト１０の２本の延伸部で締め付け、収納ベルト１０の２本の延伸部の先端部付近に設けられた面ファスナー９Ａと９Ｄとを互いに付着させることができる。それにより収納ベルト１０を輪状にして、折り畳まれたスリング本体２０を輪の中に収納して保持することができる。また、図１２（ｂ）と同様に、面ファスナー９Ａと９Ｂとを付着させ、面ファスナー９Ｃと９Ｄとを付着させることにより、収納ベルト１０をより小さい輪状にして、折り畳まれたスリング本体２０をより小さく収納して保持することもできる。このように、収納ベルト１０による輪の大きさを調節することができ、それにより、折り畳むなどにより、小さくまとめられたスリング本体２０について、収納できる大きさの幅が広がる。すなわち、スリング本体２０の畳み方や、まとめ方について選択の幅が広がる。なお、スリング本体２０は、きちんと折り畳まなくても、適度に小さくまとめられれば、収納ベルト１０で収納して保持することが可能である。すなわち、手間を要することなく短時間で、スリング本体２０を収納ベルト１０で縛り、かつ面ファスナー９Ａおよび９Ｄによりワンタッチ操作で保持することができる。
【００６９】
また上述したように、収納ベルト１０は、肩パッド４の真中よりもずれた部位に取り付けられるので、スリングを使用するときに、使用者１の肩に当たる部位から下方にずれた部位に位置することとなる。このため、図１２（ｂ）のように収納ベルト１０をスリング本体２０の裏側に収納した場合であっても、使用者１の身体への圧迫感や違和感が減殺される。収納ベルト１０は、肩パッド４の真中より手前側、すなわち使用者１の身体前面に該当する部位だけでなく、真中より奥側、すなわち使用者１の身体背面に該当する部位に取り付けてもよい。この場合にも、同様に使用者の身体に圧迫感や違和感を与えないという利点が得られる。
【００７０】
また、収納ベルト１０は、肩パッド４の真中よりもずれた部位に取り付けられることにより、スリング本体２０を折り畳んで収納ベルト１０で収納して保持するときに、小さくまとまったスリング本体２０の中央に収納ベルト１０の位置を定め易い。それにより、収納作業をさらに効率よく行うことが可能となる。
【００７１】
図１３〜図１５は、本発明のさらに別の実施の形態によるスリングの構成を示す図である。このスリング２００は、「リング有り」タイプである点で図１２に示したスリングとは異なっており、さらに収納ベルト１０の取り付け位置や形態においても、図１２に示したスリングとは異なっている。図１３はスリング２００の使用状態を示す正面図であり、図１４はその背面図である。また、図１５は、収納ベルト付近のスリング２００を示す図であり、特に図１５（ａ）は水平に置かれたスリング２００の収納ベルト付近の部分平面図である。また、図１５（ｂ）は、図１５（ａ）の収納ベルトの長手方向中心線に沿って切断したスリング２００の断面図であり、特に収納ベルトをスリング本体の裏側（身体に面する側）に折り重ねた状態を示している。
【００７２】
このスリング２００は、リング有りタイプであり、一対のリング２８がスリング本体２０の一端に取り付けられている（図１３、図１５）。スリング本体２０の他端側に尾を引いた部分であるテール３０を、一対のリング２８の双方に通し、さらに一方と他方との間から戻すようにすることで、スリング本体２０が、図１に示したスリング１００の本体と同様に輪状となる（図１３）。ポーチ５に子供２を入れるなどにより、加重が加わると、一対のリング２８がテール３０を締め付けるように作用するので、スリング本体２０は安定的に一定長さの輪の状態を維持することができる。また、一対のリング２８の間隔を適度に開いて、テール３０の締め付け部位を変えることにより、輪状になったスリング本体２０の長さを調節することも可能となっている。
【００７３】
図１３に示すように、スリング２００を使用したときに、リング２８は使用者１の肩から前方に下がった部位に位置する。このため、リング２８を有するスリング２００では、図１４に示すように、収納ベルト１０は、使用者１の肩から後方（すなわち背面側）に下がった部位、例えば肩胛骨（けんこうこつ）の付近に対応するスリング本体２０の部位に取り付けるのが望ましい。それにより、スリング２００を使用するときに、収納ベルト１０が使用者１の肩に当たる部位から下方にずれた部位に位置することとなるので、図１５（ｂ）のように収納ベルト１０をスリング本体２０の裏側に折り重ねた場合であっても、使用者１の身体への圧迫感や違和感が減殺される。
【００７４】
図１４および図１５の例では、特に、収納ベルト１０は、肩パッド４の上ではなく、肩パッド４に隣接する部位に取り付けられている。言い換えると、収納ベルト１０は、スリング本体２０の長手方向に沿った肩パッド４の端部に隣接する部位に取り付けられている。それにより、図１５（ｂ）に示すように、収納ベルト１０をスリング本体２０の裏側に折り重ねたときに、折り重ねられることにより厚みが増すスリング２００の部分が、クッション材２４により厚みのある肩パッド４と同等程度の厚さとなる。この同等程度の厚さの部分が肩パッド４に並ぶことになるので、収納ベルト１０の存在による使用者１の身体への圧迫感や違和感が、さらに効果的に減殺される。
【００７５】
また、スリング本体２０の布地は、図１４および図１５（ａ）に示すように、リング２８が取り付けられる先端部では幅が狭く、リング２８から遠くなるに伴って、扇形状に幅広くなるように作られている。それにより、図１４に示すように、使用者１の背面では幅広となって背面への負荷を分散することができ、使用者１の身体への圧迫感を和らげることができる。スリング２００を使用する際に、収納ベルト１０を図１５（ｂ）に示すように、スリング本体２０の裏側に折り重ねるためには、スリング本体２０の幅がある程度狭い方が望ましい。その意味でも、肩パッド４に隣接する部位は、収納ベルト１０の望ましい取り付け位置となっている。
【００７６】
図１５（ａ）および図１５（ｂ）に示すように、収納ベルト１０は一対の収納ベルト１０Ａおよび１０Ｂからなり、スリング本体２０の幅方向両端から幅方向外側に向かって延びるように、スリング本体２０の両端にそれぞれ取り付けられている。スリング本体２０の幅方向両端から幅方向外側に向かって延びる収納ベルト１０Ａおよび１０Ｂの部分が、それぞれ本発明の第１および第２延伸部の一例に該当する。上記したように、スリング本体２０の幅は、リング２８が取り付けられる部位から離れるのに伴って広くなっている。このため、肩パッド４が配置される領域では、リング２８から離れるほど、スリング本体２０の幅は肩パッド４の幅よりも広くなっている。すなわち、肩パッド４から幅方向にはみ出したスリング本体２０の部分が、リング２８から離れるほど広く設定されている。
【００７７】
したがって、収納ベルト１０が取り付けられている部位では、スリング本体２０の幅は、隣接する肩パッド４の幅よりも相当に広くなっている。スリング本体２０を縛って収納し得る大きさは、収納ベルト１０Ａおよび１０Ｂの一方の先端から他方の先端までの長さによって定まる。このため、スリング本体２０の両端から延伸する収納ベルト１０Ａおよび１０Ｂの長さは、収納ベルト１０Ａおよび１０Ｂが取り付けられている部位でのスリング本体２０の幅よりも短く設定しても足りる。図１５（ｂ）の例では、両端から延伸する収納ベルト１０Ａおよび１０Ｂの長さは、いずれも、スリング本体２０の幅の約３分の２である。
【００７８】
収納ベルト１０Ａと１０Ｂは、それぞれの付け根に相当する一端が、スリング本体２０の布地の幅方向端部に縫い付けられている。袋状となっているスリング本体２０の布地の幅方向端部は、内側に折り返されており、この折り返し部に収納ベルト１０Ａと１０Ｂの一端が挿入され、縫い糸２６によりスリング本体２０の布地に縫いつけられている。このため、収納ベルト１０Ａおよび１０Ｂの端部が隠れて見えないので、美的に目に映り、ファッション性が減殺されない。また、付け根の端部処理を格別に行う必要がないので、製作に要する手間をも省くことができる。
【００７９】
収納ベルト１０Ａおよび１０Ｂは、スリングを使用する際には、スリング本体２０の表側に重ねておくことも可能である。しかし、図１５（ｂ）に示すように、表から見えないように、スリング本体２０の裏側に重ねておく方が、美観の観点から好ましい。図１２の形態と同様に、収納ベルト１０Ａおよび１０Ｂには面ファスナー９が設けられており、この面ファスナー９が、これらの収納ベルト１０Ａおよび１０Ｂを重ねて固定することを可能にしている。
【００８０】
一方の収納ベルト１０Ａには、先端部付近に面ファスナー９Ｒが設けられており、それよりも付け根側に面ファスナー９Ｐが設けられている。面ファスナー９Ｒと面ファスナー９Ｐとは、互いに連続している。他方の収納ベルト１０Ｂには、先端部付近に面ファスナー９Ｓが設けられており、それよりも付け根側に面ファスナー９Ｔが設けられている。さらに、スリング本体２０の裏側であって、収納ベルト１０Ａおよび１０Ｂの付け根を幅方向に結んだ帯状領域内に、面ファスナー９Ｑおよび９Ｕが設けられている。面ファスナー９Ｑは、帯状領域内の収納ベルト１０Ａの付け根に近い側に設けられ、面ファスナー９Ｕは、帯状領域内の収納ベルト１０Ｂの付け根に近い側に設けられる。
【００８１】
収納ベルト１０Ａおよび１０Ｂを、図１５（ｂ）に示すようにスリング本体２０の裏側に折り曲げた状態で、面ファスナー９Ｐと９Ｒとは、収納ベルト１０Ａのスリング本体２０に対向する側に設けられている。一方、面ファスナー９Ｓは、収納ベルト１０Ｂのスリング本体２０に対向する側とは反対側に設けられ、面ファスナー９Ｔはスリング本体２０に対向する側に設けられている。面ファスナー９Ｐと９Ｒとは、雌雄が同一である。面ファスナー９Ｑと９Ｓは、それとは雌雄が逆である。また、面ファスナー９Ｔと９Ｕとは、雌雄が互いに逆である。
【００８２】
以上の要領で、面ファスナー９Ｐ〜９Ｕが収納ベルト１０Ａおよび１０Ｂに取り付けられているので、図１５（ｂ）に示すように、面ファスナー９Ｒと９Ｓとを付着させることにより、収納ベルト１０Ａと１０Ｂとを、スリング本体２０の裏側に重ね合わせた状態で、互いに結び付けることができる。それにより、例えばスリングを使用するときなど、収納ベルト１０Ａおよび１０Ｂを使用しないときに、収納ベルト１０Ａおよび１０Ｂをスリング本体２０の裏側に収納することができる。また、面ファスナー９Ｐと面ファスナー９Ｑとを付着させることにより、収納ベルト１０Ａの該当部分をスリング本体２０の裏側に固定することができる。同様に、面ファスナー９Ｔと面ファスナー９Ｕとを付着させることにより、収納ベルト１０Ｂの該当部分をスリング本体２０の裏側に固定することができる。それによって、収納ベルト１０Ａおよび１０Ｂが、スリング本体２０から浮き上がったり、上下に（すなわち、スリング本体２０の長手方向に）ずれたりすることを防止することができる。このように収納ベルト１０Ａおよび１０Ｂを、スリング本体２０に沿って一体化することができるので、スリングを使用したときの収納ベルト１０Ａおよび１０Ｂによる違和感がさらに減殺される。
【００８３】
既に述べたように図１２の形態とは異なり、収納ベルト１０Ａおよび１０Ｂが取り付けられている部位でのスリング本体２０の幅が肩パッド４の幅に比べて広くなっている。このため、面ファスナー９Ｒと９Ｓとによって互いに結び付けられて輪状になった収納ベルト１０Ａおよび１０Ｂが、スリング本体２０の裏側から浮き上がり易い。したがって、このようにスリング本体２０の幅が肩パッド４の幅に比べて広くなっている形態では、面ファスナー９Ｐ、９Ｑ、９Ｔ、９Ｕにより浮き上がりを防止する意義が特に大きい。
【００８４】
さらに、３つの雌雄の対、すなわち面ファスナー９Ｐと９Ｑ、面ファスナー９Ｒと９Ｓ、および面ファスナー９Ｔと９Ｕは、収納ベルト１０Ａおよび１０Ｂをスリング本体２０の裏側に折り重ねたときに、互いに重複することなく横に並ぶような部位に配置されている。このため、収納ベルト１０Ａおよび１０Ｂを折り重ねたときの、スリング本体２０、収納ベルト１０Ａおよび１０Ｂ、および面ファスナー９Ｐ〜９Ｕを含めた全体の厚さ、すなわち図１５（ｂ）に示した断面構造の全高が低く抑えられる。それにより、収納ベルト１０Ａおよび１０Ｂによる使用者１の身体への圧迫感や違和感が、さらに効果的に減殺される。
【００８５】
一方、スリング２００を使用しないときに、スリング本体２０を折り畳んで収納するときには、折り畳まれたスリング本体２０を収納ベルト１０Ａおよび１０Ｂで締め付け、収納ベルト１０Ａに設けられた面ファスナー９Ｒないし９Ｐと、収納ベルト１０Ｂに設けられた面ファスナー９Ｓとを互いに付着させることができる。それにより収納ベルト１０Ａおよび１０Ｂを輪状にして、折り畳まれたスリング本体２０を輪の中に収納して保持することができる。特に、面ファスナー９Ｒと９Ｐとが連続しているので、面ファスナー９Ｓを、これら連続した面ファスナー９Ｒおよび９Ｐの間のどの部位に付着させることも可能である。このため、収納ベルト１０Ａおよび１０Ｂによる輪の大きさを調節することができ、特に連続的に調節することができる。それにより、折り畳むなどにより、小さくまとめられたスリング本体２０について、収納できる大きさの幅が広がる。すなわち、スリング本体２０の畳み方や、まとめ方について選択の幅が広がる。その結果、使用者１がスリング本体２０を収納するときの手間を、さらに省くことができる。すなわち、収納作業の能率がさらに向上する。
【００８６】
なお、面ファスナー９Ｐと９Ｒとを連続して収納ベルト１０Ａに設ける代わりに、互いに分離して収納ベルト１０Ａに配置しても良い。この場合にも、面ファスナー９Ｓを、面ファスナー９Ｒおよび９Ｐの何れかに付着させることが可能となる。それによって、収納ベルト１０Ａおよび１０Ｂによる輪の大きさを調節することができるので、折り畳むなどにより、小さくまとめられたスリング本体２０について、収納できる大きさの幅が広がる。
【００８７】
図１５（ｂ）に示した形態では、袋状となっているスリング本体２０の布地の幅方向端部が、内側に折り返されており、この折り返し部に収納ベルト１０Ａと１０Ｂの一端が縫い付けられていた。これに対して、図１６に例示するように、スリング本体２０の布地の幅方向端部に折り返し部を設けない形態を実施することも可能である。図１６の例では、収納ベルト１０Ａおよび１０Ｂの各々の付け根側の端部は、スリング本体２０の幅方向端部付近の裏側面に、縫い糸２６により縫い付けられている。
【００８８】
図１３〜図１５に示した形態では、肩パッド４が配置される領域では、リング２８から離れるほど、スリング本体２０の幅は肩パッド４の幅よりも広くなっていた。これに対して、図１７に例示するように、肩パッド４が配置される領域においてスリング本体２０の幅を肩パッド４の幅と略同等に設定することも可能である。図１７（ａ）および図１７（ｂ）は、それぞれ図１５（ａ）および図１５（ｂ）に対応する。収納ベルト１０が取り付けられる部位でのスリング本体２０の幅も、肩パッド４の幅と略同等となり、図１５に例示した形態に比べて短くなっている。このため、収納ベルト１０Ａおよび１０Ｂの各々の長さは、図１２の形態における収納ベルト１０の一対の延伸部と同様に、収納ベルト１０Ａおよび１０Ｂが取り付けられる部位でのスリング本体２０の幅と略同等となっている。図１７（ｂ）の例では、図１２（ｂ）と同様に、一方の延伸部に対応する収納ベルト１０Ｂの先端部付近と付け根付近に、それぞれ面ファスナー９Ａおよび９Ｃが設けられ、他方の延伸部に対応する収納ベルト１０Ａの先端部付近と付け根付近に、それぞれ面ファスナー９Ｄおよび９Ｂが設けられている。
【００８９】
図１３〜図１５に示した形態では、収納ベルト１０Ａおよび１０Ｂは、スリング本体２０のうち肩パッド４に隣接する部位に取り付けられた。これに対して、図１８に例示するように、スリング本体２０の長手方向に沿った収納ベルト１０Ａおよび１０Ｂの位置を、肩パッド４が占める範囲内に設定することも可能である。図１８（ａ）および図１８（ｂ）は、それぞれ図１５（ａ）および図１５（ｂ）に対応する。図１８（ａ）に示す例では、スリング本体２０の長手方向に沿った収納ベルト１０Ａおよび１０Ｂの位置は、肩パッド４が占める範囲内のうち、使用者１の肩に当たる部位から背中側に最も遠い部位に設定されている。
【００９０】
この形態では、図１８（ｂ）に示すように、スリング本体２０の裏側に折り重ねられた収納ベルト１０Ａおよび１０Ｂは、肩パッド４の上に位置することとなる。そのために、全体の厚さは図１５（ｂ）に示した形態に比べて大きくなる。しかし、スリング本体２０を使用するときに、折り重ねられた収納ベルト１０Ａおよび１０Ｂが、使用者１の肩に当たる部位から下方にずれた部位に位置することとなるので、使用者１の身体への圧迫感や違和感が減殺される。また、図１５（ｂ）に示した形態と同様に、３つの雌雄の対、すなわち面ファスナー９Ｐと９Ｑ、面ファスナー９Ｒと９Ｓ、および面ファスナー９Ｔと９Ｕは、収納ベルト１０Ａおよび１０Ｂをスリング本体２０の裏側に折り重ねたときに、互いに重複することなく横に並ぶような部位に配置されている。このため、図１５（ｂ）に示した形態について説明したところと同様の理由により、収納ベルト１０Ａおよび１０Ｂによる使用者１の身体への圧迫感や違和感が、さらに効果的に減殺される。
【００９１】
なお、図１５および図１８に例示したように、肩パッド４では、内部に詰め込まれたクッション材２４とスリング本体２０の布地とが、縫い合わせの糸７によって縫い合わされている。縫い合わせの糸７は、例えば、矩形のクッション材２４の周囲に沿って縫い込まれるとともに、その内側に斜めに交差する２組の線に沿って縫い込まれる。好ましくは、図１５（ａ）および図１８（ａ）に例示するように、クッション材２４のうちリング２８に近い一辺については、縫い込まないのが好ましい。そうすることによって、リング２８の付近でスリング本体２０が絞られるときに、スリング本体２０に不自然なしわが現れるのを回避することができる。
【００９２】
図１９は、本発明のさらに別の実施の形態によるスリングの構成を示す図である。図１９（ａ）は、水平に置かれたスリングの収納ベルト付近の部分平面図であり、図１９（ｂ）は、収納ベルトをスリング本体の裏側に折り重ねたときの同部分の平面図である。このスリングは、リング２８を有するタイプであっても良く、有しないタイプであっても良い。また、収納ベルト１０Ａおよび１０Ｂが取り付けられている部位でのスリング本体２０の幅は、肩パッド４（図示略）の幅と同等であっても良く、それよりも広いものであってもよい。収納ベルト１０Ａには、付け根付近から先端部付近まで延在するように面ファスナー９Ｋが設けられており、収納ベルト１０Ｂには、同じく付け根付近から先端部付近まで延在するように面ファスナー９Ｌが設けられている。面ファスナー９Ｋと９Ｌとは、互いに雌雄の関係にある。収納ベルト１０Ａおよび１０Ｂを、図１９（ｂ）に示すようにスリング本体２０の裏側に折り曲げた状態で、面ファスナー９Ｋと９Ｌとは、収納ベルト１０Ａと１０Ｂとの互いに対向する側にそれぞれ設けられている。
【００９３】
以上の要領で、面ファスナー９Ｋおよび９Ｌが、収納ベルト１０Ａおよび１０Ｂにそれぞれ取り付けられているので、図１９（ｂ）に示すように、面ファスナー９Ｋと９Ｌとを付着させることにより、収納ベルト１０Ａと１０Ｂとを、スリング本体２０の裏側に重ね合わせた状態で、互いに結び付けることができる。それにより、例えばスリングを使用するときなど、収納ベルト１０Ａおよび１０Ｂを使用しないときに、収納ベルト１０Ａおよび１０Ｂをスリング本体２０の裏側に収納することができる。
【００９４】
一方、スリングを使用しないときに、スリング本体２０を折り畳んで収納するときには、折り畳まれたスリング本体２０を収納ベルト１０Ａおよび１０Ｂで締め付け、収納ベルト１０Ａに設けられた面ファスナー９Ｋと、収納ベルト１０Ｂに設けられた面ファスナー９Ｌとを互いに付着させることができる。それにより収納ベルト１０Ａおよび１０Ｂを輪状にして、折り畳まれたスリング本体２０を輪の中に収納して保持することができる。特に、面ファスナー９Ｋと９Ｌとが、収納ベルト１０Ａおよび１０Ｂの略全長にわたって延在しているので、面ファスナー９Ｋと９Ｌとを付着させる部位を、幅広くかつ連続的に選択することができる。このため、収納ベルト１０Ａおよび１０Ｂによる輪の大きさを、幅広くかつ連続的に調節することができる。それにより、スリング本体２０の畳み方や、まとめ方について選択の幅が広がるので、収納作業の能率がさらに向上する。
【００９５】
図２０は、本発明のさらに別の実施の形態によるスリングの構成を示す図である。図２０（ａ）は、水平に置かれたスリングの収納ベルト付近の部分平面図であり、図２０（ｂ）は、収納ベルトをスリング本体の裏側に折り重ねたときの同部分の平面図である。このスリングも、図１９に例示したスリングと同様に、リング２８を有するタイプであっても良く、有しないタイプであっても良い。また、収納ベルト１０Ａおよび１０Ｂが取り付けられている部位でのスリング本体２０の幅は、肩パッド４（図示略）の幅と同等であっても良く、それよりも広いものであってもよい。収納ベルト１０Ａには、先端部付近に面ファスナー９Ｍが設けられており、収納ベルト１０Ｂには、同じく先端部付近に面ファスナー９Ｎが設けられている。面ファスナー９Ｍと９Ｎとは、互いに雌雄の関係にある。収納ベルト１０Ａおよび１０Ｂを、図２０（ｂ）に示すようにスリング本体２０の裏側に折り曲げた状態で、面ファスナー９Ｍと９Ｎとは、収納ベルト１０Ａと１０Ｂとの互いに対向する側にそれぞれ設けられている。
【００９６】
以上の要領で、面ファスナー９Ｍおよび９Ｎが、収納ベルト１０Ａおよび１０Ｂにそれぞれ取り付けられているので、図２０（ｂ）に示すように、面ファスナー９Ｍと９Ｎとを付着させることにより、収納ベルト１０Ａと１０Ｂとを、スリング本体２０の裏側に重ね合わせた状態で、互いに結び付けることができる。それにより、例えばスリングを使用するときなど、収納ベルト１０Ａおよび１０Ｂを使用しないときに、収納ベルト１０Ａおよび１０Ｂをスリング本体２０の裏側に収納することができる。
【００９７】
一方、スリングを使用しないときに、スリング本体２０を折り畳んで収納するときには、折り畳まれたスリング本体２０を収納ベルト１０Ａおよび１０Ｂで締め付け、収納ベルト１０Ａに設けられた面ファスナー９Ｍと、収納ベルト１０Ｂに設けられた面ファスナー９Ｎとを互いに付着させることができる。それにより収納ベルト１０Ａおよび１０Ｂを輪状にして、折り畳まれたスリング本体２０を輪の中に収納して保持することができる。この形態においても他の実施の形態と同様に、収納ベルト１０Ａおよび１０Ｂが面ファスナーで結ばれるので、収納ベルト１０Ａおよび１０Ｂを互いに結びつけたり、外したりする作業が簡単である。このため、スリング本体２０の収納を迅速に行うことができる。
【００９８】
以上の説明では、肩パッド４が設けられている部位でのスリング本体２０の幅が、肩パッド４の幅よりも広いスリングとして、リング２８を有するスリング２０を例示した。しかし、リング２８を有しないスリングについても、同様に、肩パッド４が設けられている部位でのスリング本体２０の幅を肩パッド４の幅よりも広くすることも可能である。
【００９９】
以上の説明では、リング２８を有するスリングについては、収納ベルト１０をスリング本体２０のうち、使用者１の肩から背面側に下がった部位に取り付けられたものを例示した。しかし、リング２８を有するスリングにおいても、使用者１の肩から前面側に下がった部位、例えばリング２８の付近などに収納ベルト１０を取り付けても良い。
【０１００】
また、図１５〜図１８に示した実施の形態では、リング２８を有するスリング２００を例示したが、同様の収納ベルト１０を、リング２８を有しないスリング１００に適用することも可能である。逆に、図１〜図１２に示した収納ベルト１０を、リング２８を有するスリング２００に適用することも可能である。
【０１０１】
さらに、図１５、図１６および図１８では、収納ベルト１０が取り付けられている部位でのスリング本体２０の幅は、肩パッド４の幅よりも広いものであったが、同様の収納ベルト１０を、肩パッド４の幅と同等のスリングに適用することも可能である。逆に、図１７では、収納ベルト１０が取り付けられている部位でのスリング本体２０の幅は、肩パッド４の幅と同等であったが、同様の収納ベルト１０を、肩パッド４の幅よりも広いスリングに適用することも可能である。また、以上に説明した様々な実施の形態において、肩パッド４を除去した形態を実施することも可能である。
【０１０２】
また、図１２に示した収納ベルト１０を、図９に示したようにボタン１１等により着脱自在かつ回転自在にスリング本体２０に取り付けることが可能であるように、図１３〜図２０に示した収納ベルト１０についても、例えばボタン１１等により着脱自在かつ回転自在にスリング本体２０に取り付けることが可能である。
【０１０３】
肩の付近におけるスリングの断面構造を示す図１２（ｂ）図１５（ｂ）、図１６、図１７（ｂ）および図１８（ｂ）では、図示を略しているが、これらの断面構造において、スリング本体２０の布地は、多重に折り重ねられた上で、糸７または２６により縫い付けられているのが望ましい。それにより、スリング本体２０の幅を、ポーチ５の部分では広く確保しつつ、肩の付近では、スリング本体２０を裁断することなく、いわばスリング本体２０を絞ることにより、狭くすることが可能となる。
【図面の簡単な説明】
【０１０４】
【図１】図２に示すスリングに子供を保持させた状態を示す平面図である。
【図２】本発明の実施の形態に係るスリング１００を二つ折りにして収納ベルトをスリング装着時の状態にした平面図である。
【図３】本発明の実施の形態に係るスリング１００の収納ベルト部を広げた肩部分の拡大図である。
【図４】Dカンの拡大図である。
【図５】スリング使用時の肩部分裏側の拡大図である。
【図６】図２に示す収納ベルト部分を示す拡大図である。
【図７】スリングを図３におけるスリングの状態でスリングをまとめて収納したときの図である。
【図８】スリングを図３におけるスリングの状態で収納ベルトを９０度回転させて縦方向にスリングを収納した時の図である。
【図９】収納ベルトをマジックテープ留めにした状態の収納ベルトを広げた肩部分の拡大図である。
【図１０】図９に示すスリング使用時にマジックテープを留めた状態の裏側の拡大図である。
【図１１】図６に示す収納ベルトのボタンホール部分を紐で代用したときの裏側の図である。
【図１２】本発明のさらに別の実施の形態によるスリングの構成を示す図であり、特に（ａ）は水平に置かれたスリングの収納ベルト付近の部分平面図であり、（ｂ）は（ａ）の収納ベルトの長手方向中心線に沿って切断したスリングの断面図である。
【図１３】本発明のさらに別の実施の形態によるスリングの使用状態を示す正面図である。
【図１４】図１３のスリングの使用状態を示す背面図である
【図１５】図１３のスリングについて収納ベルト付近を示す図であり、特に（ａ）は水平に置かれたスリングの収納ベルト付近の部分平面図であり、（ｂ）は（ａ）の収納ベルトの長手方向中心線に沿って切断したスリングの断面図である。
【図１６】本発明のさらに別の実施の形態によるスリングについて、収納ベルトの長手方向中心線に沿って切断した断面を示す断面図である。
【図１７】本発明のさらに別の実施の形態によるスリングの構成を示す図であり、特に（ａ）は水平に置かれたスリングの収納ベルト付近の部分平面図であり、（ｂ）は（ａ）の収納ベルトの長手方向中心線に沿って切断したスリングの断面図である。
【図１８】本発明のさらに別の実施の形態によるスリングの構成を示す図であり、特に（ａ）は水平に置かれたスリングの収納ベルト付近の部分平面図であり、（ｂ）は（ａ）の収納ベルトの長手方向中心線に沿って切断したスリングの断面図である。
【図１９】本発明のさらに別の実施の形態によるスリングの構成を示す図であり、特に（ａ）は水平に置かれたスリングの収納ベルト付近の部分平面図であり、（ｂ）は収納ベルトをスリング本体の裏側に折り重ねたときの同部分の平面図である。
【図２０】本発明のさらに別の実施の形態によるスリングの構成を示す図であり、（ａ）は水平に置かれたスリングの収納ベルト付近の部分平面図であり、（ｂ）は収納ベルトをスリング本体の裏側に折り重ねたときの同部分の平面図である。
【符号の説明】
【０１０５】
１  親    ２  子供    ３  クッション材    ４  肩パッド    ５  ポーチ
６  Dカン    ７  縫い合わせの糸    ８  レール    ９  面ファスナー
１０  収納ベルト  １１  ボタン  １２  ボタンホール    １３  ボタン取付け紐
２０  スリング本体    ２４  クッション材    ２６  縫い糸    ２８  リング
３０  テール    １００  リングなしスリング    ２００  リング有りスリング
【図１】
2007330776.tif 000003
【図２】
2007330776.tif 000004
【図３】
2007330776.tif 000005
【図４】
2007330776.tif 000006
【図５】
2007330776.tif 000007
【図６】
2007330776.tif 000008
【図７】
2007330776.tif 000009
【図８】
2007330776.tif 000010
【図９】
2007330776.tif 000011
【図１０】
2007330776.tif 000012
【図１１】
2007330776.tif 000013
【図１２】
2007330776.tif 000014
【図１３】
2007330776.tif 000015
【図１４】
2007330776.tif 000016
【図１５】
2007330776.tif 000017
【図１６】
2007330776.tif 000018
【図１７】
2007330776.tif 000019
【図１８】
2007330776.tif 000020
【図１９】
2007330776.tif 000021
【図２０】
2007330776.tif 000022